(57)【要約】【課題】現場において底部の形状が異なるレールの種類が分からなくても、５０Ｎレール用の仮ボンドと６０Ｋレール用の仮ボンドとを、それぞれ用意する必要がなく、多種類のレール（例えば５０Ｎレール、６０Ｋレール）に対応でき、作業性が極めて良好である。【解決手段】多種類のレール共用型仮ボンドの本体に多種類のレール（例えば０Ｎレール、６０Ｋレール）の底部の形状に合わせた切り欠きを形成した。【選択図】  図２
2004273404.tif 000002
【特許請求の範囲】
【請求項１】
本体に多種類のレール（例えば５０Ｎレール、６０Ｋレール）の底部の形状に合わせた切り欠きを形成したことを特徴とする多種類のレール共用型仮ボンド。
【請求項２】
本体の両側面に、多種類のレール（例えば５０Ｎレール、６０Ｋレール）の底部の形状に合わせた切り欠きをそれぞれ形成したことを特徴とする多種類のレール共用型仮ボンド。
【請求項３】
請求項１乃至請求項２に記載の多種類のレール共用型仮ボンドにおいて、多種類のレール（例えば５０Ｎレール、６０Ｋレール）の底部の形状に合わせた切り欠きに対応する本体の上面に、文字（例えば５０Ｎ、６０Ｋ）をそれぞれ表示したことを特徴とする多種類のレール共用型仮ボンド。
【請求項４】
請求項１乃至請求項３に記載の多種類のレール共用型仮ボンドにおいて、本体の切り欠きをレールの一方の底部に嵌め合わせると共に、レールの他方の底部に嵌め合わせるフックボルトを、前記本体に固着したことを特徴とする多種類のレール共用型仮ボンド。
【請求項５】
請求項１乃至請求項４に記載の多種類のレール共用型仮ボンドにおいて、所要の長さの導線の両端に、本体をそれぞれ取り付けたことを特徴とする多種類のレール共用型仮ボンド。
【発明の詳細な説明】
【０００１】
【発明の属する技術分野】
本発明は、多種類のレール共用型仮ボンドに関するものである。
【０００２】
【従来の技術】
従来は、レールボンドを交換、修繕する間の仮設用やボンドが脱落した場合の仮復旧、レール交換時の帰線電流回路のバイパス用として使用する仮ボンドは、レールの底部に本体を嵌めて固定する形状になっているが、通常の鉄道レールにおいては、多種類のレール（通常は例えば５０Ｎレール、６０Ｋレールと称している）があり、これらレールの底部の形状寸法（上面の傾斜角度および底面の長さ）は、図６および図７、図８に示すようにレールの大きさ毎にそれぞれ異なっているため、５０Ｎレール用の仮ボンドと６０Ｋレール用の仮ボンドとを、それぞれ別個に用意していた。
【０００３】
すなわち、図６は、底部５０ａを設けた５０Ｎレール５０の側面図であり、図７は、底部６０ａを設けた６０Ｋレール６０の上部切欠側面図である。
さらに図６に示す従来の５０Ｎレール用仮ボンドの１０は、導線１１を固着した５０Ｎレール用仮ボンド本体である。１２はこの５０Ｎレール用仮ボンド本体１０に形成したレールの底部嵌合部であり、１３はこの５０Ｎレール用仮ボンド本体１０にスプリングワッシャー１４を介してナット１５で固定したフックボルトである。
また、図７、図８において、１６は従来の６０Ｋレール用仮ボンドベースで、このベース１６の一方においては、導線１１を固着した金具１７を平ワッシャー１８を介してボルト１９で固定するようにしたものであり、このベース１６の他方においては、ボルト２０で６０Ｋレール６０の底部６０ａに固定するようにしたものである。
【０００４】
【発明が解決しようとする課題】
このように、従来においては、多種類のレールが使用されているため、レールボンドの交換、修繕時やレールの交換時において、レール種別が分からない時には、現場に多種類の仮ボンドを持っていかねばならない不便、厄介さがあった。
【０００５】
【課題を解決するための手段】
本発明の多種類のレール共用型仮ボンドは、前記課題を解決することを目的とし、本体に多種類のレール（例えば５０Ｎレール、６０Ｋレール）の底部の形状に合わせた切り欠きを形成したことを特徴とする。
【０００６】
また、本発明の多種類のレール共用型仮ボンドは、本体の両側面に、多種類のレール（例えば５０Ｎレール、６０Ｋレール）の底部の形状に合わせた切り欠きをそれぞれ形成したことを特徴とする。
【０００７】
また、本発明の多種類のレール共用型仮ボンドは、多種類のレール（例えば５０Ｎレール、６０Ｋレール）の底部の形状に合わせた切り欠きに対応する本体の上面に、文字（例えば５０Ｎ、６０Ｋ）をそれぞれ表示したことを特徴とする。
【０００８】
また、本発明の多種類のレール共用型仮ボンドは、本体の切り欠きをレールの一方の底部に嵌め合わせると共に、レールの他方の底部に嵌め合わせるフックボルトを、前記本体に固着したことを特徴とする。
【０００９】
さらにまた、本発明の多種類のレール共用型仮ボンドは、所要の長さの導線の両端に、本体をそれぞれ取り付けたことを特徴とする。
【００１０】
【発明の実施の形態】
以下、図面を参照して本発明に係る多種類のレール共用型仮ボンドの実施の形態を詳細に説明する。
図１は、本発明に係る多種類のレール共用型仮ボンドの全体正面図である。図２は、本発明に係る多種類のレール共用型仮ボンドを、例えば５０Ｎレールに取り付けた場合の側面図である。図３は、本発明に係る多種類のレール共用型仮ボンドを、例えば６０Ｋレールに取り付けた場合の側面図である。図４は、本体の上面図である。図５は、本発明に係る多種類のレール共用型仮ボンドの使用状態を示す斜視図である。
【００１１】
図１乃至図５において、１は、本発明に係る多種類のレール共用型仮ボンドであり、所要の長さの導線２の両端には、以下に示す多種類のレール共用型仮ボンドの本体３がそれぞれ取り付けられている。この本体３の両側面には、多種類のレール（例えば５０Ｎレール５０、６０Ｋレール６０）の底部５０ａ、６０ａの形状に合わせた切り欠き４、５がそれぞれ形成されている。
この多種類のレール（例えば５０Ｎレール、６０Ｋレール）の底部５０ａ、６０ａの形状に合わせた切り欠き４、５に対応する本体３の上面には、作業を間違わないようにするために、図４に示すようにそれぞれ５０Ｎおよび６０Ｋの文字６が刻印により表示されている。
【００１２】
次に、レールボンドを交換、修繕する間の仮設用やボンドが脱落した場合の仮復旧、帰線電流回路のバイパス用として、本発明に係る多種類のレール共用型仮ボンド１を使用するにあたって、まず例えば５０Ｎレール５０に対応する場合、５０Ｎレール５０の底部５０ａの形状に合わせた本体３の切り欠き４を、前記５０Ｎレール５０の一方の底部５０ａに嵌め合わせると共に、５０Ｎレール５０の他方の底部５０ａに嵌め合わせるフックボルト７を、前記本体３にスプリングワッシャー８を介してナット９によって着脱可能に固着している。
【００１３】
また、例えば６０Ｋレール６０に対応する場合、本発明に係る多種類のレール共用型仮ボンド１を反転させて、６０Ｋレール６０の底部６０ａの形状に合わせた本体３の切り欠き５を、前記６０Ｋレール６０の一方の底部６０ａに嵌め合わせると共に、６０Ｋレール６０の他方の底部６０ａに嵌め合わせるフックボルト７を、前記本体３にスプリングワッシャー８を介してナット９によって着脱可能に固着している。
【００１４】
この多種類のレール（例えば５０Ｎレール、６０Ｋレール）の底部５０ａ、６０ａの形状に合わせた切り欠き４、５に対応する本体３の上面には、図４に示すようにそれぞれ５０Ｎおよび６０Ｋの文字６が刻印により表示されているので、本体３のどちら側を多種類のレールに嵌めれば良いのかが直ぐ判断できるようになっている。
【００１５】
なお、本実施例においては、多種類のレール（例えば５０Ｎレール、６０Ｋレール）の底部５０ａ、６０ａの形状に合わせた切り欠き４、５は、本体３の両側面に、それぞれ形成したが、これに限らず必要に応じて適宜位置に形成してもよいこと勿論である。
【００１６】
【発明の効果】
本発明に係る多種類のレール共用型仮ボンドは、本体に多種類のレール（例えば５０Ｎレール、６０Ｋレール）の底部の形状に合わせた切り欠きを形成したので、レールボンドを交換、修繕する間の仮設用やボンドが脱落した場合の仮復旧、レール交換時の帰線電流回路のバイパス用として使用する場合、現場において底部の形状が異なるレールの種類がわからなくても、例えば５０Ｎレール用の仮ボンドと例えば６０Ｋレール用の仮ボンドとを、それぞれ用意する必要がなく、本発明に係る多種類のレール共用型仮ボンド１個で多種類のレール（例えば５０Ｎレール、６０Ｋレール）に対応でき、作業性が極めて簡便、良好となるなどの効果を有する。
【図面の簡単な説明】
【図１】本発明に係る多種類のレール共用型仮ボンドの全体正面図である。
【図２】本発明に係る多種類のレール共用型仮ボンドを、例えば５０Ｎレールに取り付けた場合の側面図である。
【図３】本発明に係る多種類のレール共用型仮ボンドを、例えば６０Ｋレールに取り付けた場合の側面図である。
【図４】本発明に係る多種類のレール共用型仮ボンドの本体の上面図である。
【図５】本発明に係る多種類のレール共用型仮ボンドの使用状態を示す斜視図である。
【図６】５０Ｎレールに従来の５０Ｎレール用仮ボンドを取り付けた状態を示す側面図である。
【図７】６０Ｋレールに従来の６０Ｋレール用仮ボンドを取り付けた状態を示す側面図である。
【図８】同上面図である。
【符号の説明】
１      本発明に係る多種類のレール共用型仮ボンド
２      導線
３      本体
４      切り欠き
５      切り欠き
６      文字
７      フックボルト
８      スプリングワッシャー
９      ナット
５０    ５０Ｎレール
６０    ６０Ｋレール
５０ａ  ５０Ｎレール５０の底部
６０ａ  ６０Ｋレール６０の底部
【図１】
2004273404.tif 000003
【図２】
2004273404.tif 000004
【図３】
2004273404.tif 000005
【図４】
2004273404.tif 000006
【図５】
2004273404.tif 000007
【図６】
2004273404.tif 000008
【図７】
2004273404.tif 000009
【図８】
2004273404.tif 000010